(57)【要約】【課題】帆立貝をロープに確実に、長期にわたり保持し得る養殖帆立貝の掛け止め方法及び養殖帆立貝の掛止具を提供したい。【解決手段】樹脂等で形成された棒状の軸部２ａの一端部に抜け止め挿入部２ｂを備え、かつ軸部の他端部に抜け止め部２ｆを備える掛止具２を、ロープ１の長さ方向に対して直交する方向に貫通して通し、掛止具の一端部の抜け止め挿入部及び他端部の抜け止め部を、ロープの外周から突出させ、掛止具の抜け止め挿入部、または抜け止め部の一方とロープとの間に、帆立貝３の耳部３ａを通孔３ｂを介して帆立貝を１枚、または２枚貫通、掛け止めし、且つ掛止具の帆立貝を掛け止めしない側の抜け止め挿入部、または抜け止め部とロープとの間に、ストッパ片４を介設させた養殖帆立貝の掛け止め方法。【選択図】　　　　図１
2004000035.tif 000002
【特許請求の範囲】
【請求項１】
樹脂等で形成された棒状の軸部の一端部に抜け止め挿入部を備え、かつ該軸部の他端部に抜け止め部を備える掛止具を、ロープの長さ方向に対して直交する方向に貫通して通し、該掛止具の一端部の抜け止め挿入部及び他端部の抜け止め部を、ロープの外周から突出させ、
前記掛止具の前記抜け止め挿入部、または前記抜け止め部の一方とロープとの間に、帆立貝の耳部を通孔を介して該帆立貝を１枚、または２枚貫通、掛け止めし、
且つ前記掛止具の帆立貝を掛け止めしない側の抜け止め挿入部、または抜け止め部とロープとの間に、ストッパ片を介設させた、
ことを特徴とする養殖帆立貝の掛け止め方法。
【請求項２】
樹脂等で形成された棒状の軸部の一端部に抜け止め挿入部を備え、かつ該軸部の他端部に抜け止め部を備える掛止具を、ロープの長さ方向に対して直交する方向に貫通して通し、該掛止具の一端部の抜け止め挿入部及び他端部の抜け止め部を、ロープの外周から突出させ、
前記掛止具の前記抜け止め挿入部、または前記抜け止め部の一方とロープとの間に、帆立貝の耳部を通孔を介して該帆立貝を１枚、または２枚貫通、掛け止めした、
ことを特徴とする養殖帆立貝の掛け止め方法。
【請求項３】
樹脂等で形成された棒状の軸部の一端部に抜け止め挿入部を、他端部に抜け止め部を備える掛止具単体と、該掛止具単体の前記抜け止め挿入部、または抜け止め部の手前の軸上に貫通して掛け止めするストッパ片とからなることを特徴とする養殖帆立貝の掛止具。
【請求項４】
前記ストッパ片は、抜け止め挿入部、または抜け止め部の外形よりも大きく、且つ軸部と遊合する掛け止め孔を備えることを特徴とする請求項３に記載の養殖帆立貝の掛止具。
【請求項５】
樹脂等で形成された棒状の軸部の一端部に抜け止め挿入部を、他端部に抜け止め部を備える掛止具単体であって、該掛止具単体は、抜け止め部の軸方向内端部、軸方向に突出し、ロープに食い込む尖鋭な係止部を備えることを特徴とする養殖帆立貝の掛止具。
【請求項６】
前記係止部は、抜け止め部の軸方向内端部に、対称的に２個、または放射状に４個備えることを特徴とする請求項５に記載の養殖帆立貝の掛止具。
【発明の詳細な説明】
【０００１】
【発明の属する技術分野】
本発明は、養殖帆立貝の掛け止め方法及び掛け止めに用いられる掛止具に関する。
【０００２】
【従来の技術】
本出願人は先に特開平１０−１６５０３６号公報に開示されている養殖帆立貝の掛け止め方法及び掛止具を提案した。
この従来技術における自動穿孔、掛け止めは図２６に示す通りである。
横向きに配置したロープ１００を上下に挟むように帆立貝１０１，１０１を治具１０２，１０２を介して配置し、帆立貝１０１，１０１は、耳部１０１ａ，１０１ａをロープ１００の上下に臨ませ、上方にドリル１０３を配置し、下方に掛止具１０４を臨ませる。
ドリル１０３で、上側の帆立貝１０１の耳部１０１ａ、この下のロープ１００、下側の帆立貝１０１の耳部１０１ａを通して穿孔する。
穿孔後、掛止具１０４を下側の帆立貝１０１の耳部１０１ａ、ロープ１００、上側の帆立貝１０１の耳部１０１ａの孔に通し、帆立貝１０１，１０１をロープに掛け止めする。
【０００３】
図２７〜図２９は、従来技術における帆立貝のロープへの掛け止め方法の他の例を示す説明図で、図２７は掛止具を帆立貝の耳部に挿通する図、図２８は掛止具の一方側に帆立貝を掛け止めし、他方に帆立貝を掛け止め作業する図、図２９はロープを挟んで掛止具の両端部に帆立貝を掛け止めした図である。
【０００４】
ロープ１００に所定ピッチで設けた貫通孔に、図では左側の帆立貝１０１の耳部に掛止具１０４先端部の銛状抜け止め部１０４ａを図２６の矢印のように通す。
爾後、掛止具１０４の銛状抜け止め部１０４ａをロープ１００の貫通孔に通し、左側の帆立貝１００は掛止具１０４の軸部１０４ｃの後端部の大径抜け止め部１０４ｂとロープ１００のこの側との間に保持され、ロープ１００の図の右側に突出した銛状抜け止め部１０４ａに図２８の矢印で示したように右側の帆立貝１００の耳部を通す。
以上により、図２９に示したように、ロープ１００を挟んで二枚の帆立貝１０１，１０１が一本の掛止具１０４の両端部寄り部分に保持され、帆立貝１０１，１０１は、両端部の抜け止め部１０４ａ，１０４ｂで軸部１０４ｃ上に保持される。
【０００５】
図３０〜図３２は、従来の他の例を示す図で、図３０は掛止具のロープへの装着の説明図、図３１はロープに装着した掛止具に帆立貝を装着する説明図、図３２は掛止具に帆立貝を掛け止めした状態の説明図である。
掛止具１１４は、軸部１１４ｃの両端部に尖鋭な「∠」状の挿入掛け止め部１０４ａ，１０４ａを備え、中間部に「ハ」状のロープ掛け止め部１１４ｂ，１１４ｂを備え、ロープ１００に所定ピッチで設けた貫通孔に、図３０の矢印で示したように掛止具１１４を通す。
【０００６】
図３１に示したように、ロープ１００の両側に両端部の「∠」状挿入掛け止め部１０４ａ，１０４ａを突出させ、「ハ」状のロープ掛け止め部１１４ｂ，１１４ｂでロープ１００を挟んで掛止具をロープ１００に保持させ、左右の帆立貝１１１，１１の耳部の係止孔を「∠」状挿入掛け止め部１０４ａ，１０４ａに矢印で示すように通し、図３２に示したようにロープ１００に保持させた掛止具１１４の両端部に二枚の帆立貝１１１，１１１を掛け止め、保持する。
【０００７】
図３３及び図３４は、従来の更なる他の例を示し、図３３はロープに紐を通して縛着した説明図、図３４は紐に帆立貝を縛着した説明図である。
ロープ１００の設けた貫通孔に紐１２４を通し、図３３に示すように紐１２４の中間部をロープ１００に縛着する。
爾後、紐１２４の両側部１２４ａ，１２４ａに二枚の帆立貝１２１，１２１の耳部を係止孔を介して通し、紐の端部を結束して瘤状の抜け止め部１２４ｂ，１２４ｂを設け、帆立貝１２１，１２１を紐１２４を介してロープに保持させる。
【０００８】
【発明が解決しようとする課題】
以上の従来技術は、以下の課題を有する。
図２６〜図２９の従来技術では、帆立貝１０１の厚みは１０ｍｍ〜２０ｍｍ、ロープ１００の径は６〜８ｍｍであり、図２５に示すような穿孔をドリル１０３で行う場合、「二枚の帆立貝の厚さ＋ロープの径」をドリルで貫通させる必要があり、最少で２６ｍｍ、最大で４８ｍｍもの孔を一気に穿孔し、樹脂製の掛止具を挿入する必要がある。
ところで、上記した穿孔に用いるドリルの刃長は３０〜５０ｍｍにも達し、刃径は１．５〜１．６ｍｍの細径のものであるため、刃の折損が多発することとなる。
【０００９】
一方、掛止具１０４は、二枚を帆立貝を掛け止めする都合上、６０ｍｍ〜７０ｍｍのものを使用せざるを得ない。
この結果、図２７〜図２９のように、掛止具をロープに通し、帆立貝を掛止具の両端部に対称的に掛け止めするに際し、ロープに形成した１．５ｍｍ〜１．６ｍｍの小孔に、樹脂製の掛止具を瞬時に挿入しようとすると、孔の抵抗等により掛止具が屈曲してしまい、掛止具の挿入ミスも多発し、また掛止具が折れたりする事態も発生する。
以上の事情は、図３０〜図３２に示した従来技術でも同様であり、ロープ１００への穿孔、掛止具１１４の挿入においても、ドリル刃の折損の多発、掛止具の挿入ミスの多発、掛止具の折れの発生がある。
【００１０】
他方、図３３及び図３４の従来技術では、ロープへの穿孔、帆立貝の穿孔が個々になされるのでドリル刃の折損等の事態は防げるが、自動装填が実施できず、ロープの穿孔部に紐を手作業で一々通す作業、通した紐を縛着する作業、紐両端部に対称的に帆立貝耳部を手作業で通す作業、帆立貝を通した後、紐端部を結束して瘤を作る作業を必要とし、全部が手作業のため作業性が悪く、機械式の自動装填作業が行えなく、作業効率が低くなる。
【００１１】
特に以上で述べた従来の帆立貝の掛け止め手法は、ロープに通した軸状の掛止具に抜け止め部を一体に設け、掛止具に挿入、係止した帆立貝を掛止具の抜け止め具のみで係止しているので、掛止具が樹脂製であることもあって、掛止具は経時的に変形すること、帆立貝が成長して大型化、重くなり、抜け止め部から抜け落ちる事態が往々にして生じる。
掛止具の軸部端部に大径部を形成した場合、この側に配置されている帆立貝は抜け落ちる可能性は少ないが、鏃形や「∠」形の挿入部を兼ねる抜け止め部では変形し易く、この側に配置した帆立貝の抜け落ちが発生する虞が高い。
【００１２】
本発明は、以上の課題を解決すべくなされたものである。
本発明の目的とする処は、帆立貝が成長し、外形が大きくなり、また重量が重くなったとしても、帆立貝をロープに確実に、長期にわたり保持し得る養殖帆立貝の掛け止め方法及び養殖帆立貝の掛止具を提供し、また掛止具のロープへの保持が強固、確実になし得る掛止具を提供することにある。
【００１３】
【課題を解決するための手段】
上記目的を達成するために請求項１は、養殖帆立貝の掛け止め方法であって、樹脂等で形成された棒状の軸部の一端部に抜け止め挿入部を備え、かつ該軸部の他端部に抜け止め部を備える掛止具を、ロープの長さ方向に対して直交する方向に貫通して通し、該掛止具の一端部の抜け止め挿入部及び他端部の抜け止め部を、ロープの外周から突出させ、前記掛止具の前記抜け止め挿入部、または前記抜け止め部の一方とロープとの間に、帆立貝の耳部を通孔を介して該帆立貝を１枚、または２枚貫通、掛け止めし、且つ前記掛止具の帆立貝を掛け止めしない側の抜け止め挿入部、または抜け止め部とロープとの間に、ストッパ片を介設させたことを特徴とする。
【００１４】
請求項１では、掛止具の帆立貝を掛け止めしない側の抜け止め挿入部、または抜け止め部とロープとの間に、ストッパ片を介設させたので、この側の抜け止め部はストッパ片がロープと抜け止め部との間に介在し、ストッパ片によって抜け止め部の抜けが確実に阻止され、ロープから掛止具の抜け止めを長期にわたり、確実に行うことができる。
【００１５】
請求項２は、養殖帆立貝の掛け止め方法であって、樹脂等で形成された棒状の軸部の一端部に抜け止め挿入部を備え、かつ該軸部の他端部に抜け止め部を備える掛止具を、ロープの長さ方向に対して直交する方向に貫通して通し、該掛止具の一端部の抜け止め挿入部及び他端部の抜け止め部を、ロープの外周から突出させ、前記掛止具の前記抜け止め挿入部、または前記抜け止め部の一方とロープとの間に、帆立貝の耳部を通孔を介して該帆立貝を１枚、または２枚貫通、掛け止めしたことを特徴とする。
【００１６】
請求項２では、ロープに通した掛止具の一方の抜け止め部とロープとの間に帆立貝を掛け止めするようにしたので、掛止具の剛性、強度が高い側の抜け止め部とロープとの間に帆立貝を掛け止めすることができる。
【００１７】
請求項３は、養殖帆立貝の掛止具であって、樹脂等で形成された棒状の軸部の一端部に抜け止め挿入部を、他端部に抜け止め部を備える掛止具単体と、該掛止具単体の前記抜け止め挿入部、または抜け止め部の手前の軸上に貫通して掛け止めするストッパ片とからなることを特徴とする。
【００１８】
請求項３では、樹脂製等からなる棒状、軸状で、両端部に抜け止め部を備える帆立貝掛止具において、掛止具に抜け止め部の抜け止め用のストッパ片を別設するだけなので、安価に、容易に、掛止具のロープからの抜け止め、帆立貝の掛け止めを確実に実行することができる。
【００１９】
請求項４は、請求項３において、ストッパ片は、抜け止め挿入部、または抜け止め部の外形よりも大きく、且つ軸部と遊合する掛け止め孔を備えることを特徴とする。
【００２０】
請求項４では、ストッパ片は抜け止め部の外形よりも大きいので、ロープ、帆立貝の保持、掛け止めを確実に行え、またストッパ片は掛止具に容易に装着することができる。
【００２１】
請求項５では、樹脂等で形成された棒状の軸部の一端部に抜け止め挿入部を、他端部に抜け止め部を備える掛止具単体であって、該掛止具単体は、抜け止め部の軸方向内端部、軸方向に突出し、ロープに食い込む尖鋭な係止部を備えることを特徴とする。
【００２２】
請求項５では、掛止具単体の抜け止め部に、軸方向内方に尖鋭な係止部が突出しているので、該係止部の尖鋭な先端部がロープに食い込み、抜け止め部によるロープへの係止、保持が強固、確実になされる。
【００２３】
請求項６は、請求項５において、係止部は、抜け止め部の軸方向内端部に、対称的に２個、または放射状に４個備えることを特徴とする。
【００２４】
請求項６では、先端が尖鋭な係止部を対称的に２個、または放射状に４個有するので、係止部先端部のロープへの食い込みが強固、確実になされ、抜け止めを確実に、効果的に行える。
【００２５】
【発明の実施の形態】
本発明の実施の形態を添付図に基づいて以下に説明する。なお、図面は符号の向きに見るものとする。
図１は、本発明に係る帆立貝の掛止具によるロープへの掛け止め、保持状態を示す斜視図を、図２は、図１の側面図である。
これらの図面に従って説明すると、１はロープで、ロープ１には直交する方向に係止孔１ａが長さ方向に所定ピッチで穿孔されている。
【００２６】
ロープ１の係止孔１ａを介して掛止具２を貫通、保持させ、掛止具２は軸部２ａの先端部の抜け止め挿入部２ｂは、尖鋭な挿入部２ｃと、これの軸方向内方に径方向外方に湾曲拡開する抜け止め片２ｄを備え、抜け止め挿入部２ｂの外形は「＜」形である。
この抜け止め挿入部２ｂの直後は小径であって、その後の大部分の軸部２ａはこれよりも大径で、軸部２ａの後端部には大径な抜け止め部２ｆを備える。
【００２７】
以上の掛止具２をロープ１の係止孔１ａに通し、帆立貝３を掛け止め、保持する。掛止具２は、先端部の抜け止め挿入部２ｂの尖鋭な挿入部２ｃを介してロープ１の係止孔１ａに通すが、これに先立ち帆立貝３の耳部３ａに設けた係止孔３ｂに抜け止め挿入部２ｂを通し、＜形の抜け止め片２ｄは縮径方向に撓み、係止孔３ｂを通る。
爾後、ロープ１の係止孔１ａに抜け止め挿入部２ｂを通し、抜け止め挿入部２ｂをロープの帆立貝とは反対側に突出させる。
【００２８】
更に矩形板状のストッパ片４を用意する。ストッパ片４は、これの中央部に掛止具２の軸部２ａが遊合する通し孔４ａが形成されており、該通し孔４ａを介して掛止具２の先端の抜け止め挿入部２ｂにストッパ片４を通し、ロープ１と掛止具２の先端の抜け止め挿入部２ｂとの間にストッパ片４を介在させる。
これにより、ロープ１の外周と接することで変形したり、不正常に摺接する可能性のある掛止具２の抜け止め挿入部２ｂの抜け止め片２ｄは平坦で面積が大きいストッパ片４の面と接触し、掛止具の高い抜け止め効果と、変形や偏摩耗は抑制されることとなる。
また帆立貝３は、ロープと大径の軸ボス部状の抜け止め部２ｆとの間で保持されるので、帆立貝の保持が確実になされる。
【００２９】
図３は、切り離し前の梯子状とした掛止具の半完成品の一部を示す正面図、図４は、切り離し前のストッパ片の半完成品の一部を示す正面図である。
図３に示した掛止具２の半完成品５は、上枠５ａと下枠５ｂとの間に掛止具２…（…は複数を表す。以下同じ）を横に多数並設したもので梯子状をなす。図の上向きとした軸部２ａの先端部の抜け止め挿入部２ｂの挿入部２ｃは、上枠５ａに細い連結部５ｃで連結し、また軸部２ａの後端部の抜け止め部２ｆの後端面は下枠５ｂに細い連結部５ｄで連結する。
図では、半完成品５の一部を示し、図の右側方向に同様のものが連続しており、半完成品５は樹脂で各部一体に成形する。
【００３０】
図４はストッパ片の半完成品６で、矩形板状のストッパ片４…は図の左右方向に多数連結して成形されており、ストッパ片４…は、前記したように平坦な板状体であって、その中央部に通し孔４ａをそれぞれ備える。
多数のストッパ片４…は、側部の中央部において小さな紐状の連結部６ａ…で連結されており、樹脂で各部一体に成形する。
【００３１】
図５は、上記図１、図２に示した帆立貝の掛け止め方法の自動化した一例を示す説明図である。
セットテーブル７上に帆立貝３の耳部３ａを位置決め、載置する。セットテーブル７の下方には、前記した掛止具半完成品５を例えばロール状にセットしておいて自動供給機構により矢印▲１▼のように供給し、掛止具２を単体として切り離し、プッシュロッド１０で矢印▲２▼に示すようにセットテーブル７方向に上昇させる。
【００３２】
一方、セットテーブル７上の帆立貝３の耳部３ａ上にはロープ１を臨ませ、他方、この部分に隣接して例えばロール状としたストッパ片半完成品６を供給し、ストッパ片４…を一枚づつ矢印▲４▼に示すようにロープ１上に給送し、一枚づつ連結部６ａから切り離し、ロープ１の上に配置する。
セットテーブル７上に穿孔ドリル９を配設しておき、該ドリル９をストッパ片４の通し孔４ａを通してロープ１、帆立貝３の耳部３ａに穿孔する。
爾後、掛止具２を矢印▲３▼のように上昇させ、帆立貝３の耳部３ａの係止孔、ロープ１の係止孔、ストッパ片４の通し孔に掛止具２の抜け止め挿入部２ｂを通し、図１，図２に示したように帆立貝３を掛け止めした掛止具２をストッパ片４を付帯させつつロープ１に係止、保持させることができる。
【００３３】
図６は、帆立貝の掛止具への掛け止め、保持の他の例を示す斜視図である。
この例では、ロープ１に通した掛止具２のロープ１と抜け止め挿入部２ｂの抜け止め片２ｄとの間に帆立貝３を掛け止めし、掛止具２の軸部２ａの後端部の抜け止め部２ｆとロープ１との間にストッパ片４を介装したものである。
【００３４】
図７は、帆立貝の掛止具への掛け止め、保持の更なる他の例を示す斜視図である。
この例では、ロープ１に通した掛止具２のロープ１と抜け止め挿入部２ｂの抜け止め片２ｄとの間にストッパ片４を介装し、掛止具２の軸部２ａの後端部の抜け止め部２ｆとロープ１との間に二枚の帆立貝３，３を掛け止めしたものである。
【００３５】
図８は、掛止具にストッパ片を用いない例の斜視図である。
ロープ１に直交するように掛止具２を貫通、保持させ、ロープ１と軸部１ａの後端部の抜け止め部２ｆとの間に帆立貝３を掛け止め、保持させたものである。
【００３６】
図９は、掛止具にストッパ片を用いない他の例の斜視図である。
ロープ１に直交するように掛止具２を貫通、保持させ、ロープ１と軸部２ａの先端部の抜け止め挿入部２ｂとの間に帆立貝３を掛け止め、保持させたものである。
【００３７】
図１０及び図１１は、前記した図５における帆立貝の自動穿孔、装填作業に際して使用させる位置決め治具の一例を示す説明図で、図１０は、帆立貝耳部の上縁部を基準とする位置決め治具を、図１１は、帆立貝の側縁部を基準とする位置決め治具を示す。
図１０は、ロープ１に対する帆立貝３の穿孔３ｂ位置の位置決め治具１１は略「Ｌ」形をなし、これの「Ｌ」形の内縁部１１ａを帆立貝３の耳部３ａの頂縁部３ｃ及びロープ１側の側縁部３ｄの角部を規制し、位置決めし、治具１１は可動式である。
図１１は、ロープ１に対する帆立貝３の穿孔３ｂ位置の位置決め治具１２角度が緩い略Ｖ形をなし、これのＶ形の外縁部１２ａを帆立貝３のロープ１側の略「Ｖ」形の側縁部３ｅに当接して角部を規制し、位置決めし、治具１２は上記と同様に可動式である。
【００３８】
図１２は、掛止具の他の実施の形態を示す図で、図では鎖線で自動装填装置の一部を示している。
掛止具２２は、軸部２２ａの先端部に尖鋭な挿入部２２ｃ及び抜け止め片２２ｄからなる抜け止め挿入部２２ｂを備え、軸部２２ａの後部には軸方向に長さを有する軸部よりも十分に大きい後部抜け止め部２２ｆを備える。
軸部２２ａの抜け止め挿入部２２ｂの後方は小径部２２ｅとし、また後部抜け止め部２２ｆの前方は小径部２２ｇを構成している。
鎖線で示した１３は、自動装填装置における切り離した掛止具２２を直線状に移動させ、帆立貝及びロープの穿孔部に挿入するためのガイドを示す。
【００３９】
図１３は、掛止具の後部抜け止め部の拡大正面図、図１４は同側面図、図１５は同斜視図である。これらの図面に従って、後部抜け止め部２２ｆの構造を説明する。
掛止具２２は、図示した例では断面が角柱状で、後部抜け止め部２２ｆは左右に張り出して突出し、左右の張り出し部２２ｈ，２２ｈの先端部、即ち、軸部２２ａの外側に突出する部分の軸方向の先端部に、尖鋭な山形の係止部２３，２３を左右対称的に設ける。
係止部２３，２３の先端部２３ａ，２３ａは鏃のように尖り、ロープに食い込み易い形状とする。
【００４０】
図１６は、掛止具２２をロープ１に貫通、保持させた状態の説明図である。
掛止具２２は、ロープ１の係止孔１ａに貫通、保持され、図では省略した左側の抜け止め挿入部とロープ１との間に帆立貝を臨ませて掛け止め、保持するものである。
帆立貝の重量や潮の流れで掛止具２２が矢印▲５▼方向に移動した際、後部抜け止め部２２ｆに設けた前記の係止部２３，２３の尖った先端部２３ａ，２３ａがロープ１の係止孔１ａの周辺部に食い込み、掛止具２２をロープ１に強固に、確実に保持させることができる。
帆立貝が成長し、重量が大きくなればなるほど、矢印▲５▼方向の力が強くなり、係止部２３，２３のロープ１への食い込み力は大きくなり、掛止具２２のロープ１への保持力は一層高くなる。
【００４１】
図１７〜図１９は、係止部を設けた掛止具の他の例を示し、掛止具の後部抜け止め部のみを示し、図１７は正面図、図１８は同側面図、図１９は同斜視図である。
図では掛止具３２の軸部３２ａの中間部〜先部は省略しており、中間部〜先部は上記した例と同様である。
軸部３２ａの後部の小径部３２ｇの後方には後部抜け止め部３２ｆが設けられており、後部抜け止め部３２ｆの左右の張り出し部３２ｈ，３２ｈの軸方向先部には尖鋭な係止部３３，３３が形成されており、尖った先端部３３ａ，３３ａは、この例では逆「レ」形に尖った構造としたもので、係止部３３，３３は後部抜け止め部３２ｆの左右に対称的に二個設けた。
【００４２】
図２０〜図２２は、係止部を設けた掛止具の更なる他の例を示し、掛止具の後部抜け止め部のみを示し、図２０正面図、図２１は同側面図、図２２は同斜視図である。
図では掛止具４２の軸部４２ａの中間部〜先部は省略しており、中間部〜先部は上記した例と同様である。
軸部４２ａの後部の小径部４２ｇの後方には後部抜け止め部４２ｆが設けられており、後部抜け止め部４２ｆの四周に四個の張り出し部４２ｈ…が設けられ、各張り出し部４２ｈ…の軸方向先部には、それぞれ尖鋭な係止部４３…が形成されており、尖った各先端部４３ａ…は、この例では逆「レ」形に尖った構造としたもので、係止部３３…は、上記したように後部抜け止め部４２ｆの周囲に放射状に四個設けた。
【００４３】
図２３〜図２５は、係止部を設けた掛止具の他の例を示し、掛止具の後部抜け止め部のみを示し、図２３は正面図、図２４は同側面図、図２５は同斜視図である。
図では掛止具５２の軸部５２ａの中間部〜先部は省略しており、中間部〜先部は上記した例と同様である。
軸部５２ａの後部の小径部５２ｇの後方には後部抜け止め部５２ｆが設けられており、後部抜け止め部５２ｆの左右の張り出し部５２ｈ，５２ｈの軸方向先部には尖鋭な係止部５３，５３が形成されており、係止部５３，５３はこの例ではピラミット状の四角錐形としたもので、尖った先端部５３ａ，５３ａ角錐状で、係止部５３，５３は後部抜け止め部５２ｆの左右に対称的に二個設けた。
【００４４】
【発明の効果】
本発明は上記構成により次の効果を発揮する。
請求項１は、養殖帆立貝の掛け止め方法であって、樹脂等で形成された棒状の軸部の一端部に抜け止め挿入部を備え、かつ該軸部の他端部に抜け止め部を備える掛止具を、ロープの長さ方向に対して直交する方向に貫通して通し、該掛止具の一端部の抜け止め挿入部及び他端部の抜け止め部を、ロープの外周から突出させ、掛止具の前記抜け止め挿入部、または抜け止め部の一方とロープとの間に、帆立貝の耳部を通孔を介して該帆立貝を１枚、または２枚貫通、掛け止めし、且つ掛止具の帆立貝を掛け止めしない側の抜け止め挿入部、または抜け止め部とロープとの間に、ストッパ片を介設させた。
【００４５】
請求項１では、掛止具の帆立貝を掛け止めしない側の抜け止め挿入部、または抜け止め部とロープとの間に、ストッパ片を介設させたので、この側の抜け止め部はストッパ片がロープと抜け止め部との間に介在し、ストッパ片によって抜け止め部の抜けが確実に阻止され、ロープから掛止具の抜け止めを長期にわたり、確実に行うことができる。
また、ストッパ片は平坦な板状のものを用いることができ、掛止具の抜け止め部がロープの外周と接することで変形したり、不正常に摺接する可能性のある掛止具の抜け止め部は、平坦で面積が大きいストッパ片の面と接触し、高い抜け止め効果が得られ、また掛止具の抜け止め部の変形や偏摩耗は抑制、防止されることとなる。
【００４６】
請求項２は、養殖帆立貝の掛け止め方法であって、樹脂等で形成された棒状の軸部の一端部に抜け止め挿入部を備え、かつ該軸部の他端部に抜け止め部を備える掛止具を、ロープの長さ方向に対して直交する方向に貫通して通し、該掛止具の一端部の抜け止め挿入部及び他端部の抜け止め部を、ロープの外周から突出させ、前記掛止具の前記抜け止め挿入部、または前記抜け止め部の一方とロープとの間に、帆立貝の耳部を通孔を介して該帆立貝を１枚、または２枚貫通、掛け止めした。
【００４７】
請求項２では、ロープに通した掛止具の一方の抜け止め部とロープとの間に帆立貝を掛け止めするようにしたので、掛止具の剛性、強度が高い側の抜け止め部とロープとの間に帆立貝を掛け止めすることができる。
従って、ロープへの掛止具の保持とともに、掛止具への帆立貝の掛け止めを強固、確実に行うことができる。
【００４８】
請求項３は、養殖帆立貝の掛止具であって、樹脂等で形成された棒状の軸部の一端部に抜け止め挿入部を、他端部に抜け止め部を備える掛止具単体と、該掛止具単体の前記抜け止め挿入部、または抜け止め部の手前の軸上に貫通して掛け止めするストッパ片とで構成した。
【００４９】
請求項３では、樹脂製等からなる棒状、軸状で、両端部に抜け止め部を備える帆立貝掛止具において、掛止具に抜け止め部の抜け止め用のストッパ片を別途用意し、掛止具にストッパ片を挿入して係止するだけなので、安価に、容易に、掛止具のロープからの抜け止め、帆立貝の掛け止めを確実に実行することができる。
【００５０】
請求項４は、請求項３において、ストッパ片は、抜け止め挿入部、または抜け止め部の外形よりも大きく、且つ軸部と遊合する掛け止め孔を備えるようにした
。
【００５１】
請求項４では、請求項３の効果に加えるに、ストッパ片は抜け止め部の外形よりも大きいので、ロープ、帆立貝の保持、掛け止めを確実に行え、またストッパ片は掛止具に容易に装着することができる。
【００５２】
請求項５は、樹脂等で形成された棒状の軸部の一端部に抜け止め挿入部を、他端部に抜け止め部を備える掛止具単体であって、該掛止具単体は、抜け止め部の軸方向内端部、軸方向に突出し、ロープに食い込む尖鋭な係止部を設けた。
【００５３】
請求項５では、掛止具単体の抜け止め部に、軸方向内方に尖鋭な係止部が突出しているので、掛止具に帆立貝の重量や潮の流れによる軸方向の移動荷重がかかった場合に、該係止部の尖鋭な先端部がロープに食い込み、抜け止め部によるロープへの係止、保持が強固、確実になされる。
【００５４】
請求項６は、請求項５において、係止部は、抜け止め部の軸方向内端部に、対称的に２個、または放射状に４個備えるようにした。
【００５５】
請求項６では、請求項５の効果に加えるに、先端が尖鋭な係止部を対称的に２個、または放射状に４個有するので、係止部先端部のロープへの食い込みが強固、確実になされ、抜け止めを確実に、効果的に行える。
【図面の簡単な説明】
【図１】本発明に係る帆立貝の掛止具によるロープへの掛け止め、保持状態を示す斜視図
【図２】図１の側面図
【図３】切り離し前の梯子状とした掛止具の半完成品の一部を示す正面図
【図４】切り離し前のストッパ片の半完成品の一部を示す正面図
【図５】図１、図２に示した帆立貝の掛け止め方法の自動化した一例を示す説明図
【図６】帆立貝の掛止具への掛け止め、保持の他の例を示す斜視図
【図７】帆立貝の掛止具への掛け止め、保持の更なる他の例を示す斜視図
【図８】掛止具にストッパ片を用いない例の斜視図
【図９】掛止具にストッパ片を用いない他の例の斜視図
【図１０】図１０及び図１１は、前記した図５における帆立貝の自動穿孔、装填作業に際して使用させる位置決め治具の一例を示す説明図で、図１０は、帆立貝耳部の上縁部を基準とする位置決め治具
【図１１】図１１は、帆立貝の側縁部を基準とする位置決め治具
【図１２】掛止具の他の実施の形態を示す図で、図では鎖線で自動装填装置の一部を示した図
【図１３】掛止具の後部抜け止め部の拡大正面図
【図１４】図１３の側面図
【図１５】図１３の斜視図
【図１６】掛止具をロープに貫通、保持させた状態の説明図
【図１７】図１７〜図１９は、係止部を設けた掛止具の他の例を示し、掛止具の後部抜け止め部のみを示し、図１７は正面図
【図１８】図１７の側面図
【図１９】図１７の斜視図
【図２０】図２０〜図２２は、係止部を設けた掛止具の更なる他の例を示し、掛止具の後部抜け止め部のみを示し、図２０正面図
【図２１】図２０の側面図
【図２２】図２０の斜視図
【図２３】図２３〜図２５は、係止部を設けた掛止具の他の例を示し、掛止具の後部抜け止め部のみを示し、図２３は正面図
【図２４】図２３の側面図
【図２５】図２３の斜視図
【図２６】従来の帆立貝、ロープの自動穿孔、掛け止めの一例を示す説明図
【図２７】図２７〜図２９は、従来技術における帆立貝のロープへの掛け止め方法の他の例を示す説明図で、図２６は掛止具を帆立貝の耳部に挿通する図
【図２８】図２８は掛止具の一方側に帆立貝を掛け止めし、他方に帆立貝を掛け止め作業する図
【図２９】図２９はロープを挟んで掛止具の両端部に帆立貝を掛け止めした図
【図３０】図３０〜図３２は、従来の他の例を示す図で、図２９は掛止具のロープへの装着の説明図
【図３１】図３１はロープに装着した掛止具に帆立貝を装着する説明図
【図３２】図３２は掛止具に帆立貝を掛け止めした状態の説明図
【図３３】図３３及び図３４は、従来の更なる他の例を示し、図３２はロープに紐を通して縛着した説明図
【図３４】図３４は紐に帆立貝を縛着した説明図
【符号の説明】
１…ロープ、　１ａ…ロープの係止孔、　２，１２，２２，３２，４２，５２…掛止具、　２ａ，１２ａ，２２ａ，３２ａ，４２ａ，５２ａ…軸部、　２ｂ，１２ｂ，２２ｂ…抜け止め挿入部、　２ｆ，１２ｆ，２２ｆ，３２ｆ，４２ｆ，５２ｆ…後部抜け止め部、４…ストッパ片、　２３，３３，４３，５３…係止部。
【図１】
2004000035.tif 000003
【図２】
2004000035.tif 000004
【図３】
2004000035.tif 000005
【図４】
2004000035.tif 000006
【図５】
2004000035.tif 000007
【図６】
2004000035.tif 000008
【図７】
2004000035.tif 000009
【図８】
2004000035.tif 000010
【図９】
2004000035.tif 000011
【図１０】
2004000035.tif 000012
【図１１】
2004000035.tif 000013
【図１２】
2004000035.tif 000014
【図１３】
2004000035.tif 000015
【図１４】
2004000035.tif 000016
【図１５】
2004000035.tif 000017
【図１６】
2004000035.tif 000018
【図１７】
2004000035.tif 000019
【図１８】
2004000035.tif 000020
【図１９】
2004000035.tif 000021
【図２０】
2004000035.tif 000022
【図２１】
2004000035.tif 000023
【図２２】
2004000035.tif 000024
【図２３】
2004000035.tif 000025
【図２４】
2004000035.tif 000026
【図２５】
2004000035.tif 000027
【図２６】
2004000035.tif 000028
【図２７】
2004000035.tif 000029
【図２８】
2004000035.tif 000030
【図２９】
2004000035.tif 000031
【図３０】
2004000035.tif 000032
【図３１】
2004000035.tif 000033
【図３２】
2004000035.tif 000034
【図３３】
2004000035.tif 000035
【図３４】
2004000035.tif 000036